(57)【要約】      （修正有）【課題】例えば三方または四方からの鑑賞（以下、三方見または四方見と呼ぶ）に好適なフラワーアレンジメントに使用する用具や補助具を合理的に構成し、例えば母の日に代表されるイベント等で、カタログ販売等の量販型アレンジメント商品に求められる均一化されたサイズ（大きさ）や花材配置等について、制作者が画一的かつ効率的に制作することができるようにしたフラワーアレンジメントシステムを提供すること。【解決手段】吸水性を有する保持ブロック４を花器の内側に収容する。前記保持ブロック４に所定長さの複数の花材または葉材を所定位置に配置して保持可能にするフラワーアレンジメントシステムであること。前記保持ブロック４の下半部に複数の角部１５を備えた角柱状の角柱状部４ａを設ける前記保持ブロック４の上半部に一部または全部を凸状の湾曲面または球面のドーム状部４ｂを設けたこと。【選択図】図９
2019058212.tif 000002
【特許請求の範囲】
【請求項１】
吸水性を有する保持ブロックを花器の内側に収容し、該保持ブロックに所定長さの複数の花材または葉材を所定位置に配置して保持可能にしたフラワーアレンジメントシステムにおいて、前記保持ブロックの下半部に複数の角部を備えた角柱状の角柱状部を設け、保持ブロックの上半部に一部または全部を凸状の湾曲面または球面のドーム状部を設けたことを特徴とするフラワーアレンジメントシステム。
【請求項２】
前記ドーム状部の円周面の一部または全域に複数の花材または葉材を所定位置に配置し保持可能にした請求項１記載のフラワーアレンジメントシステム。
【請求項３】
前記ドーム状部の背面または一側若しくは両側面を垂直な平坦面に形成した請求項１記載のフラワーアレンジメントシステム。
【請求項４】
前記角柱状部の上部に平坦な張出面を形成した請求項１記載のフラワーアレンジメントシステム。
【請求項５】
前記ドーム状部を、角柱状部の前部から後方へ所定距離オフセットして形成した請求項３記載のフラワーアレンジメントシステム。
【請求項６】
前記ドーム状部を、角柱状部の上部の略中央に突設した請求項１記載のフラワーアレンジメントシステム。
【請求項７】
前記ドーム状部の中高部周面に複数のメイン花材を近接して配置した請求項２記載のフラワーアレンジメントシステム。
【請求項８】
前記複数のメイン花材を円周方向に若干離間し、かつ上下方向へ斜状に離間して配置した請求項７記載のフラワーアレンジメントシステム。
【請求項９】
前記ドーム状部と略同心円上の湾曲面または球面に臨ませて、花材または葉材の先端部を配置した請求項１記載のフラワーアレンジメントシステム。
【請求項１０】
前記花器の内面に保持ブロックの角柱状部を圧入して保持可能にした請求項１記載のフラワーアレンジメントシステム。
【請求項１１】
前記花器の開口部の両側に一対の掛止片を対向配置し、該掛止片に環状の弾性部材を前後に掛け渡し、該弾性部材の一部を前記ドーム状部の基部周面に係合可能に配置した請求項１記載のフラワーアレンジメントシステム。
【請求項１２】
前記弾性部材の一部を前記張出面に係合可能に配置した請求項４記載のフラワーアレンジメントシステム。
【請求項１３】
前記弾性部材の一部を前記ドーム状部の上部周面に掛け渡した請求項１１記載のフラワーアレンジメントシステム。
【請求項１４】
前記花器の周面の一部に張出突片を突設し、該突片を介して前記保持ブロックの背部を遮蔽可能にした請求項１記載のフラワーアレンジメントシステム。
【請求項１５】
前記張出突片の内面と保持ブロックの背部との間に、注水用の空隙部を設けた請求項１４記載のフラワーアレンジメントシステム。
【請求項１６】
前記花器の底部に、保持ブロックの底部を保持可能な尖端部を突設した請求項１記載のフラワーアレンジメントシステム。
【発明の詳細な説明】
【技術分野】
【０００１】
本発明は、例えば三方または四方からの鑑賞（以下、三方見または四方見と呼ぶ）に好適なフラワーアレンジメントに使用する用具や補助具を合理的に構成し、例えば母の日に代表されるイベント等で、カタログ販売等の量販型アレンジメント商品に求められる均一化されたサイズ（大きさ）や花材配置等について、制作者が画一的かつ効率的に制作することができるようにしたフラワーアレンジメントシステムに関する。
【背景技術】
【０００２】
フラワーアレンジメントは、切り花を所定長さに切断し、これを花器に収容した吸水可能な保持ブロックの所定位置に挿し、切り花の組合せと配置を工夫して種々の観賞を得るようにしており、そのための種々のフラワーアレンジメントと、各種の用具や補助具が提案されている。
例えば、鉢の上部に発泡プラスティック製の王冠体を嵌合し、該王冠体は上面が曲面状に形成され、この曲面部に生花挿入用の複数の透孔を形成し、この透孔に種々の生花を挿し込むようにした、フラワーアレンジメント用補助具がある（例えば、特許文献１参照）
【０００３】
しかし、この従来のフラワーアレンジメント用補助具は、王冠体の曲面部に複数の透孔を中心部から傾斜角度を漸増させて形成するため、透孔の形成に手間が掛かって制作が難しく、しかも生花が密集して猥雑な印象を与えてしまうという問題があった。
【０００４】
このような問題を解決するものとして、吸水性の保持ブロックを円柱形状に形成し、その上面と側面との間、または底面と側面との間に上部若しくは下部傾斜側面をテーパ面状に形成し、前記上面と上部若しくは下部傾斜面に花材を挿すための凹状の位置マークを形成し、各位置マークに所定の花材を挿すようにしたフラワーアレンジメント用の保持ブロックがある（例えば、特許文献２参照）。
【０００５】
しかし、前記保持ブロックは、上面と上部傾斜面および底面と下部傾斜面に別々の形状の位置マークの形成を要するとともに、上部傾斜面と下部傾斜面に二種類の位置マークを交互に形成するため、位置マークの構成が複雑でその成形金型が複雑かつ高価になるという問題があった。
【０００６】
そこで、このような問題を解決するものとして、吸水材製の保持ブロックを略立方体状の多面体に形成し、その上面と側周面との間の傾斜面に花材を挿すための凹状の位置マークを形成し、各位置マークに所定の花材を挿すようにしたフラワーアレンジメント用の保持ブロックと、花材を所定長さに切断する長さの異なる複数の花材棒を色分けして設けた、フラワーアレンジメント用教具がある（例えば、特許文献３参照）。
【０００７】
しかし、前記保持ブロックは、上面と傾斜面に別々の形状の位置マークの形成を要し、構成が複雑になるとともに、複数の花材棒の製作を要し、その使用に際しては花材棒に花材を正確に位置合わせすることが難しく、花材棒の長さと同長に花材を切断することが難しいという問題があった。
【先行技術文献】
【特許文献】
【０００８】
【特許文献１】実用新案登録第３０１４９４１号公報
【特許文献２】特許第５９４３１３２号公報
【特許文献３】特許第５２０１５５２号公報
【発明の概要】
【発明が解決しようとする課題】
【０００９】
本発明はこのような問題を解決し、例えば三方または四方からの鑑賞（以下、三方見または四方見と呼ぶ）に好適なフラワーアレンジメントに使用する用具や補助具を合理的に構成し、例えば母の日に代表されるイベント等で、カタログ販売等の量販型アレンジメント商品に求められる均一化されたサイズ（大きさ）や花材配置等について、制作者が画一的かつ効率的に制作することができるようにしたフラワーアレンジメントシステムを提供することを目的とする。
【課題を解決するための手段】
【００１０】
請求項１の発明は、吸水性を有する保持ブロックを花器の内側に収容し、該保持ブロックに所定長さの複数の花材または葉材を所定位置に配置し保持可能にしたフラワーアレンジメントシステムにおいて、前記保持ブロックの下半部に複数の角部を備えた角柱状の角柱状部を設け、保持ブロックの上半部に一部または全部を凸状の湾曲面または球面のドーム状部を設け、前記角柱状部によって保持ブロックを強固かつ安定して花器に収容し、ドーム状部に対し花材や葉材を確実かつ安定して配置し得るとともに、前記ドーム状部によって花材や葉材を広範囲にバランス良く配置し、それらを見栄え良く装飾して上質なフラワーアレンジメントを形成し、上品な美観を得られるようにしている。
請求項２の発明は、ドーム状部の円周面の一部または全域に複数の花材または葉材を所定位置に配置して保持可能にし、花材や葉材を広範囲にバランス良く配置し、それらを見栄え良く装飾して上質なフラワーアレンジメントを形成し得るようにしている。
請求項３の発明は、ドーム状部の背面または一側若しくは両側面を垂直な平坦面に形成し、当該部における花材や葉材の配置を省略してそれらの使用量を軽減し、コンパクトかつコストを抑えて制作するようにし、三方見用の保持ブロックに好適にしている。
【００１１】
請求項４の発明は、角柱状部の上部に平坦な張出面を形成し、ドーム状部の制作の容易化を図るとともに、保持ブロックを花器に保持する際に後述の弾性部材を係合ないし掛け止め可能にしている。
請求項５の発明は、ドーム状部を、角柱状部の前部から後方へ所定距離オフセットして形成し、ドーム状部の形成位置を調整し三方見用の保持ブロックに対応可能にするとともに、保持ブロックを花器に保持する際に弾性部材をオフセット位置へ係合ないし掛け止め可能にしている。
請求項６の発明は、ドーム状部を、角柱状部の上部の略中央に突設し、ドーム状部に配置した花材や葉材を、前方、後方、左右両側の四方から鑑賞可能にし、四方見用の保持ブロックに好適にしている。
請求項７の発明は、ドーム状部の中高部周面に複数のメイン花材を近接して配置し、高級感のあるメイン花材を見栄え良い位置にアレンジメントし、高級感のあるメイン花材をフォーカスして鑑賞し得るようにしている。
請求項８の発明は、複数のメイン花材を円周方向に若干離間し、かつ上下方向へ斜状に離間して配置し、高級感のあるメイン花材を隣接の花材等に対し変則位置に配置して、メイン花材を強調させて鑑賞し得るようにしている。
【００１２】
請求項９の発明は、ドーム状部と略同心円上の湾曲面または球面に臨ませて、花材または葉材の先端部を配置し、花材や葉材を一様なアレンジ面に統一して整然と配置し、均一かつバランス良いフラワーアレンジメントを形成し得るようにしている。
請求項１０の発明は、花器の内面に保持ブロックの角柱状部を圧入して保持可能にし、保持ブロックの圧接力によって花器に強固かつ安定して保持し得るようにしている。
請求項１１の発明は、花器の開口部の両側に一対の掛止片を対向配置し、該掛止片に環状の弾性部材を前後に掛け渡し、該弾性部材の一部を前記ドーム状部の基部周面に係合可能に配置し、弾性部材の弾性によってドーム状部ないし保持ブロックの前後移動を防止するようにしている。
請求項１２の発明は、弾性部材の一部を前記張出面に係合可能に配置し、弾性部材の弾性によって保持ブロックの上下動を防止し、花器からの離脱を防止するようにしている。
【００１３】
請求項１３の発明は、弾性部材の一部を前記ドーム状部の上部周面に掛け渡し、弾性部材の弾性によってドーム状部ないし保持ブロックの上下動を防止し、花器からの離脱を防止するようにしている。
請求項１４の発明は、花器の周面の一部に張出突片を突設し、該突片を介して前記保持ブロックの背部を遮蔽可能にし、前記背部の表出による体裁の不具合を防止し、花材や葉材によるフラワーアレンジメントの印象を損なわないようにしている。
請求項１５の発明は、張出突片の内面と保持ブロックの背部との間に、注水用の空隙部を設け、花器内への注水を簡便に行なえるようにしている。
請求項１６の発明は、花器の底部に、保持ブロックの底部を保持可能な尖端部を突設し、前記尖端部の楔効果によって保持ブロックの底部を強固かつ安定して保持するようにしている。
【発明の効果】
【００１４】
請求項１の発明は、保持ブロックの下半部に複数の角部を備えた角柱状の角柱状部を設け、保持ブロックの上半部に一部または全部を凸状の湾曲面または球面のドーム状部を設けたから、前記角柱状部によって、保持ブロックを強固かつ安定して花器に収容し、ドーム状部に対し花材や葉材を確実かつ安定して配置し得るとともに、前記ドーム状部によって、花材や葉材を広範囲にバランス良く配置し、それらを見栄え良く装飾して上質なフラワーアレンジメントを形成し、上品な美観を得ることができる。
請求項２の発明は、ドーム状部の円周面の一部または全域に複数の花材または葉材を所定位置に配置して保持可能にしたから、花材や葉材を広範囲にバランス良く配置し、それらを見栄え良く装飾して上質なフラワーアレンジメントを形成することができる。
請求項３の発明は、ドーム状部の背面または一側若しくは両側面を垂直な平坦面に形成したから、当該部における花材や葉材の配置を省略してそれらの使用量を軽減し、コンパクトかつコストを抑えて制作することができ、三方見用の保持ブロックに好適な効果がある。
【００１５】
請求項４の発明は、角柱状部の上部に平坦な張出面を形成したから、ドーム状部の制作の容易化を図れるとともに、保持ブロックを花器に保持する際に後述の弾性部材を係合ないし掛け止めることができる。
請求項５の発明は、ドーム状部を、角柱状部の前部から後方へ所定距離オフセットして形成したから、ドーム状部の形成位置を調整し三方見用の保持ブロックに対応可能にするとともに、保持ブロックを花器に保持する際に弾性部材をオフセット位置へ係合ないし掛け止めることができる。
請求項６の発明は、ドーム状部を、角柱状部の上部の略中央に突設したから、ドーム状部に配置した花材や葉材を、前方、後方、左右両側の四方から鑑賞可能にし、四方見用の保持ブロックに好適な効果がある。
【００１６】
請求項７の発明は、ドーム状部の中高部周面に複数のメイン花材を近接して配置したから、高級感のあるメイン花材を見栄え良い位置にアレンジメントし、メイン花材をフォーカスして鑑賞することができる。
請求項８の発明は、複数のメイン花材を円周方向に若干離間し、かつ上下方向へ斜状に離間して配置したから、高級感のあるメイン花材を隣接の花材等と変則位置に配置して、メイン花材を強調させて鑑賞することができる。
請求項９の発明は、ドーム状部と略同心円上の湾曲面または球面に臨ませて、花材または葉材の先端部を配置したから、花材や葉材を一様なアレンジ面に統一して整然と配置し、均一かつバランス良いフラワーアレンジメントを形成することができる。
【００１７】
請求項１０の発明は、花器の内面に保持ブロックの角柱状部を圧入して保持可能にしたから、保持ブロックの圧接力によって花器に強固かつ安定して保持することができる。    請求項１１の発明は、花器の開口部の両側に一対の掛止片を対向配置し、該掛止片に環状の弾性部材を前後に掛け渡し、該弾性部材の一部を前記ドーム状部の基部周面に係合可能に配置したから、弾性部材の弾性によってドーム状部ないし保持ブロックの前後移動を防止することができる。
請求項１２の発明は、弾性部材の一部を前記張出面に係合可能に配置したから、弾性部材の弾性によって保持ブロックの上下動を防止し、花器からの離脱を防止することができる。
【００１８】
請求項１３の発明は、弾性部材の一部を前記ドーム状部の上部周面に掛け渡したから、弾性部材の弾性によってドーム状部ないし保持ブロックの上下動を防止し、花器からの離脱を防止することができる。
請求項１４の発明は、花器の周面の一部に張出突片を突設し、該突片を介して前記保持ブロックの背部を遮蔽可能にしたから、前記背部の表出による体裁の不具合を防止し、花材や葉材によるフラワーアレンジメントの印象の棄損を防止することができる。
請求項１５の発明は、張出突片の内面と保持ブロックの背部との間に、注水用の空隙部を設けたから、花器内への注水を簡便に行なうことができる。
請求項１６の発明は、花器の底部に、保持ブロックの底部を保持可能な尖端部を突設したから、前記尖端部の楔効果によって保持ブロックの底部を強固かつ安定して保持することができる。
【図面の簡単な説明】
【００１９】
【図１】本発明の第１の実施形態を三方見用のフラワーアレンジメントに適用した状況を示す斜視図である。
【図２】前記三方見用のフラワーアレンジメントの保持ブロックを花器の内側に収容し、花材を挿し込む前の状況を示す斜視図である。
【図３】図２を右側方より見た斜視図である。
【図４】図２を俯瞰して見た斜視図で、保持ブロックを花器の内側に収容している。
【図５】図２の平面図である。
【図６】前記三方見用のフラワーアレンジメントに適用した花器を示す平面図である
【００２０】
【図７】図６のＡ−Ａ線に沿う断面図である。
【図８】図６のＢ−Ｂ線に沿う断面図である。
【図９】（ａ）前記三方見用のフラワーアレンジメントに適用した保持ブロックを斜め上方から見た斜視図、（ｂ）前記保持ブロックの正面図、（ｃ）前記保持ブロックの平面図である。
【図１０】（ａ）前記三方見用のフラワーアレンジメントに適用した保持ブロックを後部斜め上方から見た斜視図、（ｂ）前記保持ブロックの左側面図、（ｃ）前記保持ブロックの背面図である。
【００２１】
【図１１】本発明に使用したカットスケールを示す平面図で、３種類のカットスケールを作業テーブル上に設けている。
【図１２】本発明の第２の実施形態を四方見用のフラワーアレンジメントに適用した状況を示す斜視図である。
【図１３】前記四方見用のフラワーアレンジメントの保持ブロックに、花材を挿し込む前の状況を示す斜視図である。
【図１４】前記四方見用のフラワーアレンジメントに適用した保持ブロックの平面図である。
【００２２】
【図１５】図１４のＣ−Ｃ線に沿う断面図である。
【図１６】前記四方見用のフラワーアレンジメントの保持ブロックを花器の内側に収容し、花材を挿し込む前の状況を示す平面図である。
【図１７】図１６のＤ−Ｄ線に沿う断面図である。
【発明を実施するための形態】
【００２３】
以下、本発明を前方および左右側方の三方からの鑑賞（以下、三方見と呼ぶ）に用いたフラワーアレンジメントシステム（以下、単にシステムと呼ぶ）に適用した図示の実施形態について説明すると、図１乃至図１１において１は衝立またはパーティション、壁体等の仕切体２の前部に設置した鑑賞テーブルで、該テーブル１上に本発明のシステムに使用する陶製の花器３が設置され、該花器３に収容した保持ブロック４に複数の花材５，６の茎が挿されて保持されている。その際、花材５，６を葉材と共に挿すことも可能である。
【００２４】
前記花器３は大径の円形の開口部７を有する瓶状に構成され、その内面の横断面は略円形に形成され、その深底の底部に定量の水を収容可能にしている。
前記花器３の開口部７周面の直径方向位置に、一対の掛止片８，８が下向きに屈曲して突設され、該掛止片８，８の離間した各一対の掛止部８ａ，８ａに、輪ゴム等の環状の弾性部材９が掛け止められている。
【００２５】
前記弾性部材９は、開口部７周面を横断して前後に掛け渡され、その前部を保持ブロック４の後述するドーム状部の基部前面とオフセット面の直上に掛け渡し、後部をドーム状部の上部周面に掛け渡し、その弾性によって保持ブロック４を押圧し、またはオフセット面と係合可能に位置付けて、花器３からの脱出と揺動を防止可能にしている。
図中、１０は前記開口部７周面の後部に、上向きに突設した略舌状の張出突片で、前記保持ブロック４の後部上側を遮蔽可能にしている。
【００２６】
前記花器３の底部中央に略円錐台形状の円錐台状のコーン１１が突設され、該コーン１１の上端部に楔形の係止片１２が突設され、該係止片１２の尖端部を保持ブロック４の底部に突き刺して、保持可能にしている。図中、１３は花器３の脚部１４の底面に複数取付けたゴム板で、鑑賞テーブル１上に密着して設置可能にしている。
【００２７】
前記保持ブロック４は吸水可能な合成樹脂、実施形態では発泡性フェノール樹脂によって異形の柱状に成形され、その下半部に四角柱状の角柱状部４ａを形成し、その上部に略半球状のドーム状部４ｂを形成している。
前記角柱状部４ａは正方形の横断面に形成され、その四隅に４個の角部１５を形成し、該角部１５と角部１５に連続する稜線部とを花器３の内面に圧入可能にしている。
【００２８】
前記ドーム状部４ｂは、角柱状部４ａの上面の前部より後方へオフセットした位置から直立して突設され、その上部を角柱状部４ａの一辺と略同径の球面状に形成され、その後部を垂直に切断して、角柱状部４ａの後面に連続する広大な背面１６を形成している。
【００２９】
前記保持ブロック４は、花器３内で係止片１２に保持された際、図８のように角柱状部４ａの上面が花器３の開口部７の端縁の下方に位置し、前記オフセットした平坦な張出面１７を花器３の内側に隠蔽している。
また、前記背面１６を前記張出突片１０の前方に離間して配置し、背面１６を後方から隠蔽するとともに、それらの間に空隙部２０を設けて、フラワーアレンジメント後の花材５，６または葉材に対する注水部に充当している。
【００３０】
このようにすることで、背面１６部における花材の挿し込みを回避し、その分花材の使用量を低減して、フラワーアレンジメントをコンパクトかつコストを抑え、また花材５，６または葉材に対する注水を簡便に実現し、花材５，６等の鮮度を維持可能にしている。
【００３１】
前記ドーム状部４ｂの前部および側部の周面に、複数の花材の挿し込み位置マーク１８，１９がフェルトペン等の適宜な文具を介して記され、これらの位置マーク１８，１９を目安に所定の花材５，６または葉材を挿し込み可能にしている。
その際、挿し込み位置マーク１８，１９に花材の茎を挿し込み、その圧接力によって挿し込み位置を保持可能にしている。
【００３２】
前記ドーム状部４ｂの前部周面の中高位置に、二つのメイン挿し込み位置マーク１８が斜状に離間して配置され、これらにメイン花材５を挿し込み可能にしている。
前記メイン花材５は、使用花材の中でも高級感のある花材を配置し、例えばバラが選択される。
【００３３】
前記メイン挿し込み位置マーク１８から離間する、ドーム状部４ｂの前部および側部の周面、上部の球状周面に、複数の花材の挿し込み位置マーク１９が円周方向に等間隔位置に配置され、これらにメイン花材５に添える花材６または葉材の茎を挿し込み可能にしている。
前記花材６の種類や色は、メイン花材５に対応した種類や色、テーマまたは各種イベントのイメ−ジ若しくはテーマに対応して選択され、例えば母の日のイベントにはカーネーションが選択される。
【００３４】
前記花材５，６または葉材の先端部は、基本的にド−ム状部４ｂの球状周面に沿う外側の球面状のアレンジメント面２１に揃えて配置され、このために花材５，６または葉材の長さを調整して切断する必要がある。
図１１はそのための複数の第１乃至第３カットスケール２２〜２４を示し、これらのカットスケール２２〜２４を作業テーブル２５の上面に配置している。
【００３５】
前記第１乃至第３カットスケール２２〜２４は、色分けした３種類の合成樹脂製の粘着テープを所定長さに切断し、その先端を斜切して斜切部２６を形成していて、この粘着テープの一端を作業テーブル２５の側端面に位置付けて横方向に接着し、隣接する粘着テープとは離間して平行に配置している。
【００３６】
そして、花材５，６を所定長さに切断する場合は、花材５，６または葉材の一端を対応するカットスケール２２〜２４の一端、つまり作業テーブル２５の側端面に位置付け、花材５，６の茎または枝部をカットスケール２２〜２４に沿って位置付け、その他端の所定長さ位置を斜切部２６を目安に花切り挟み（図示略）で斜切し、所定長さに切断するようにしている。
この場合、メイン花材５，５を他の花材６よりも若干長尺、実施形態では約１ｃｍ長めに切断し、メイン花材５，５をフォーカスしてアレンジメントすることも可能である。
【００３７】
このように構成したアレンジメントシステムは、花器３と保持ブロック４の制作と、切断用の作業テ−ブル２５の設置を要する。
このうち、花器３は陶器工場で均一に制作され、開口部７の周面に一対の掛止片８，８と張出突片１０を突設し、内側底部にコーン１１と係止片１２を突出成形する。
前記保持ブロック４は所定寸法の角柱状に樹脂成形し、これを成形装置（図示略）によって成形加工する。
【００３８】
前記成形装置は、角柱状の樹脂成形材を保持して回転するチャックと、樹脂成形材の片側半部を球面切削するカットゲージ（図示略）と、を備え、前記チャックに樹脂成形材の基端部をチャッキングして回転し、その片側半部の所定位置に凹状に湾曲形成した曲面ゲージを押し当てて、ドーム状部４ｂを所定の球面または曲面に切削加工し、保持ブロック４を制作する。
この後、ドーム状部４ｂに、例えば挿し込み位置マーク用ゲージ（図示略）を押し当て、このゲージ周面の所定位置に挿し込み位置マーク１８，１９を適宜な文具で記す。
【００３９】
前記作業テ−ブル２５は平坦で幅広な上面を有するテ−ブルを用意し、この上面に長さの異なる第１乃至第３カットスケール２２〜２４を横方向に平行に配置する。
前記第１乃至第３カットスケール２２〜２４は、色違いの合成樹脂製の３種類の粘着テープを用意し、これらを所定長さに切断し、その先端を斜切して斜切部２６を形成する。
そして、前記切断した第１乃至第３カットスケール２２〜２４の一端を、作業テーブル２５の上面の側端面に位置付けて接着し、その他端を互いに離間して平行に接着する。
【００４０】
このような作業テ−ブル２５を使用して、花材５，６を所定長さに切断する場合は、花材５，６または葉材の一端を対応するカットスケール２２〜２４の一端、つまり作業テーブル２５の側端面に位置付け、花材５，６の茎または枝部をカットスケール２２〜２４に沿って配置し、その他端の所定長さ位置を斜切部２６を目安に花切り挟み（図示略）で斜切し、所定長さに切断する。この状況は図１１のようである。
【００４１】
このように前記花器３は比較的簡単な構成であるから、陶器工場で容易に制作でき、また保持ブロック４は角柱状の樹脂成形材によって容易に成形でき、その曲面加工は比較的簡単な構成の成形装置によって容易に制作できる。
また、その挿し込み位置マーク１８，１９は、所定のマーク用ゲージと文具を使用することによって、一様かつ簡便にマーキングすることができる。
更に、切断用の作業テ−ブル２５は、汎用のテ−ブルの上面に色違いの合成樹脂製の３種類の粘着テープの一端を側端部に接着し、該テープを所定長さに切断し、他端を互いに離間して横方向に平行に接着すれば良いから、簡便に構成できる。
【００４２】
こうして制作したアレンジメントシステムの器具および補助具を用いて三方見用のフラワーアレンジメントを行う場合は、先ず花器３内に保持ブロック４を収容して固定する。
その場合は花器３を作業テーブル３５上に載置し、保持ブロック４のオフセット部１７を張出突片１０と反対側の前側に向けて保持し、その底部を花器３内に押し込んで、底面を花器３の底部に突設した係止片１２の尖端部１２ａに挿し込む。
【００４３】
このようにすると、保持ブロック４の角部１５とその稜線部が花器３の内面に圧入されて押し削られ、その底部が係止片１２に当接したところで一気に押し込み、底面を係止片１２の尖端部１２ａに挿し込む。
このため、保持ブロック４の４つの角部１５と稜線部が花器３の内面に押し削られて圧入され、底面が係止片１２の圧入による楔効果によって強固に保持される。
【００４４】
この状況は図７，８のようで、角柱状部４ａの上面が花器３の開口部７の端縁の下方に位置し、前記張出面１７を花器３の内側に隠蔽し、前記背面１６を前記張出突片１０の前方に離間して配置し、背面１６の後方を隠蔽する。
【００４５】
この後、輪ゴム等の環状の弾性部材９を用意し、これを一対の掛止部８ａ，８ａに掛け渡し、その前部を保持ブロック４のドーム状部４ｂの基部前面で張出面１７の直上に掛け渡し、後部をドーム状部４ｂの上部周面に掛け渡す。
【００４６】
そして、前記弾性部材９の弾性によって保持ブロック４を花器３内へ押圧し、または張出面１７と係合可能に位置して、花器３からの脱出と揺動を防止する。
この状況は図２〜４のようである。この後、花器３の張出突片１０と保持ブロック４の背面１６との間の空隙部２０を利用して、花器３に所定量注水し、これを保持ブロック４に吸収させる。
【００４７】
こうして花器３に保持ブロック４を安定して保持させた後、そのドーム状部４ｂに予め所定長さに切断した花材５，６および葉材を挿し込む。
前記花材５，６および葉材の切断に際しては、それらの種類と挿し込み位置に応じてアレンジ面２１を基準に切断長さを決定し、その切断に前記第１乃至第３カットスケール２２〜２４を使用する。
【００４８】
前記第１乃至第３カットスケール２２〜２４は合成樹脂製の粘着テープで構成され、これを作業テーブル２５の上面に離間して横方向に平行に貼り付け、このカットスケール２２〜２４上に花材５，６または葉材を沿わせて配置し、カットスケール２２〜２４の端部上の所定長さ位置を、花切り挟み（図示略）で斜切する。
したがって、従来のように花材棒を花材または葉材に沿わせて保持し、その端部の大まかな位置を切断する手法に比べ、作業性が良く安定かつ正確に切断し得る。しかも、カットスケール２２〜２４は横方向に配置されているから、作業性が良く、花材５，６や葉材を容易かつ正確に位置付けて切断し得る。
【００４９】
こうして花材５，６または葉材を所定長さ２６に切断後、これらを作業テーブル３５上に移動した花器３の保持ブロック４に挿し込む。
その場合、先ず高級感のあるメイン花材５，５をその挿し込み孔位置マーク１８，１８に挿し、次に他の花材６を他の挿し込み位置マーク１９に挿し、メイン花材５，５をフォーカスしてアレンジするとともに、他の花材６または葉材を追加して挿し込み、ドーム状部４ｂの表出を回避する。
【００５０】
その際、保持ブロック４は弾性部材９に押圧されて花器３内に拘束され、移動を阻止されているから、花材５，６を安定して挿し込める。
この後、フラワーアレンジメントした花材５，６を花器３と一緒に鑑賞テーブル１へ移動し、メイン花材５，５を前部正面に向けて仕切体２の前部に設置する。
【００５１】
この状況は図１のようで、メイン花材５，５が前部正面に位置し、このメイン花材５，５を囲繞して他の花材６や葉材が配置され、それらを前方および左右両側方の三方から鑑賞し得る。
このような三方見用のフラワーアレンジメントは、花器３の後方に花材５，６や葉材の配置を要しないから、その分、花材５，６や葉材の使用量を低減して、その占有スペースをコンパクトにし、かつコストを抑えられる。
なお、フラワーアレンジメント後、花器３の空隙部２０に定期的に注水し、保持ブロック４を保水させて花材５，６の鮮度を維持する。
【００５２】
また、フラワーアレンジメント後の花材５，６等を、花器３と一緒に離隔位置へ自動車等で搬送する場合は、保持ブロック４が弾性部材９に押圧されて花器３内に拘束されているから、輸送時の振動や衝撃によって保持ブロック４が花器３から脱出し、花材５，６が保持ブロック４から脱落する事態を防止し、安全に輸送し得る。
【００５３】
図１２乃至図１６は本発明の第２の実施形態を示し、前述の実施形態と対応する構成部分に同一の符号を用いている。
この実施形態は、本発明を三方見用のフラワーアレンジメントの代わりに、前方および左右両側方、後方の四方からの鑑賞（以下、四方見と呼ぶ）に好適なフラワーアレンジメントシステムに適用している。
この実施形態に使用する花器３は、三方見用の花器３よりも若干浅底に構成し、その下部のコーン１１および係止片１２の構成を採用し、開口側の周縁は前述の掛止片８と張出突片１０を省略して構成と制作を簡潔にし、この花器３に三方見用の保持ブロック４の代わりに、四方見用の保持ブロック２７を使用している。
【００５４】
前記保持ブロック２７は、保持ブロック４と同質部材によって異形の角柱状に成形され、その下半部に四角柱状の角柱状部２７ａを形成し、該角柱状部２７ａの上面中央に半球面状のドーム状部２７ｂを突設している。
前記角柱状部２７ａは正方形の横断面に形成され、その四隅に４個の角部２８を形成し、この角部２８と連続する稜線部を花器３の内面に圧入可能にしている。
【００５５】
前記ドーム状部２７ｂは、角柱状部２７ａの上面の中央に突設され、その球径は角柱状部２７ａの一辺より若干小径か略同径の球面状に形成され、その球面の下部と中間部および頂部周面に複数の花材の挿し込み位置マーク２９，３０を記している。
図中、３１は角柱状部２７ａの上面のドーム状部２７ｂの基部周辺に形成した平坦な張出面である。
【００５６】
このうち、ドーム状部２７ｂの中高部周面に複数のメイン挿し込み位置マーク２９が等間隔位置に記され、これらの位置マーク２９を目安にメイン花材３２を挿し込み、挿し込み位置マーク３０にメイン花材３２に添える複数の花材３３を挿し込み可能にしている。
前記保持ブロック２７は、前記保持ブロック４と同様に花器３の内部に圧入されて収容され、その底部に係止片１２の尖端部が突き刺されて保持されている。
【００５７】
この実施形態のフラワーアレンジメントに際しては、花材３２，３３および葉材を前記ドーム状部２７ｂに挿し込み、その実際は前述の実施形態と同様に行ない、複数のメイン花材３２をドーム状部２７の周面に等間隔に配置し、その上下位置に花材３３を円周方向に沿って配置する。
【００５８】
こうしてフラワーアレンジメントした花材３２，３３は、花器３と一緒に鑑賞テーブル１へ移動して設置される。この状況は図１２のようで、メイン花材３２と花材３３が上下に隣接して円周方向に三重に配置され、それらが前部および後部、左右両側の四方に表出し、華やいだ美観を奏して鑑賞される。
このような四方見用のフラワーアレンジメントは、花材３２，３３や葉材が豊富に配置されて華美にアレンジされ、これを仕切体２を取り除いて鑑賞テーブル１の四方から鑑賞される。
【産業上の利用可能性】
【００５９】
このように本発明のフラワーアレンジメントシステムは、例えば三方または四方からの鑑賞に好適なフラワーアレンジメントに使用する用具や補助具を合理的に構成し、例えば母の日に代表されるイベント等で、カタログ販売等の量販型アレンジメント商品に求められる均一化されたサイズ（大きさ）や花材配置等について、制作者が画一的かつ効率的に制作することができるようにしたものである。
【符号の説明】
【００６０】
３              花器
４，２７        保持ブロック
４ａ，２７ａ    角柱状部
４ｂ，２７ｂ    ドーム状部
５，３２        メイン花材
【００６１】
６，３３        花材
７              開口部
８              掛止片
９              弾性部材
１０            張出突片
１２ａ          尖端部
１５，２９      角部
【００６２】
１６            背面部
１７，３１      張出面，
２０            空隙部
２２〜２４      第１〜３カットスケール
【図１】
2019058212.tif 000003
【図２】
2019058212.tif 000004
【図３】
2019058212.tif 000005
【図４】
2019058212.tif 000006
【図５】
2019058212.tif 000007
【図６】
2019058212.tif 000008
【図７】
2019058212.tif 000009
【図８】
2019058212.tif 000010
【図９】
2019058212.tif 000011
【図１０】
2019058212.tif 000012
【図１１】
2019058212.tif 000013
【図１２】
2019058212.tif 000014
【図１３】
2019058212.tif 000015
【図１４】
2019058212.tif 000016
【図１５】
2019058212.tif 000017
【図１６】
2019058212.tif 000018
【図１７】
2019058212.tif 000019
【手続補正書】
【提出日】平成30年9月25日(2018.9.25)
【手続補正１】
【補正対象書類名】明細書
【補正対象項目名】００１０
【補正方法】変更
【補正の内容】
【００１０】
請求項１の発明は、吸水性を有する保持ブロックを花器の内側に収容し、前記保持ブロックの上半部に一部または全部を凸状の湾曲面または球面のドーム状部を設け、保持ブロックの下半部に複数の角部を備えた角柱状の角柱状部を設けるとともに、前記花器の底部に保持ブロックの底部を保持可能な尖端部を突設し、前記ドーム状部に所定長さの複数の花材または葉材を所定位置に配置して保持可能にしたフラワーアレンジメントシステムにおいて、前記角部と角部に連続する稜線部とを花器の内面に圧入して保持ブロックを保持可能にし、尖端部と併せて保持ブロックを花器に強固に保持するようにしている。
請求項２の発明は、花器の開口部の下方に角柱状部の上端面を位置付け、花器の開口部の上方にドーム状部の中高部と上面を位置付け、花器の開口部より上方にドーム状部の大半部を表出させ、アレンジメント後の花材等を見栄え良く表出し、良好な鑑賞に供するようにしている。
【手続補正２】
【補正対象書類名】明細書
【補正対象項目名】００１１
【補正方法】変更
【補正の内容】
【００１１】
請求項３の発明は、花器の開口部中央の対向位置に、環状の弾性部材を前後に掛け渡し可能な一対の掛止片を外側へ突設し、一対の掛止片を花器に設けるとともに、掛止片に弾性部材を掛け渡して保持ブロックを花器に保持させ、例えば搬送時における花器からの脱出防止と揺動を防止するようにしている。
請求項４の発明は、弾性部材の一部をドーム状部の基部周面に係合可能に配置し、花器からの脱出防止と保持ブロックの上下動と前後移動を防止するようにしている。
請求項５の発明は、弾性部材の一部をドーム状部の上部周面に掛け渡し、ドーム状部を押圧して花器からの脱出防止と保持ブロックの揺動を防止するようにしている。
請求項６の発明は、角柱状部の上部に平坦な張出面を形成し、該張出面を花器の開口部の端縁下方に配置し、該張出面に前記弾性部材の一部を係合可能に配置し、花器からの脱出防止と保持ブロックの揺動を確実かつ強固に防止するようにしている。
【手続補正３】
【補正対象書類名】明細書
【補正対象項目名】００１２
【補正方法】変更
【補正の内容】
【００１２】
請求項７の発明は、ドーム状部を、角柱状部の前部から後方へ所定距離オフセットして形成し、前記角柱状部の上部に張出面を形成し、広い張出面を形成して弾性部材を容易かつ確実に係合するようにしている。
請求項８の発明は、一対の掛止片を平面が細長の舌片状に形成し、かつこれらを下向きに屈曲形成し、弾性部材を前後に離間して掛け止め可能にし、これを下向きに屈曲形成して弾性部材を抜け止め、その掛け止めを維持するようにしている。
請求項９の発明は、花器の底部中央に円錐台形状の一のコーンを突設し、該コーンの平坦な上端部に保持ブロックの底部を載置可能にし、コーンの構成を簡潔にするとともに、保持ブロックを安定して保持するようにしている。
【手続補正４】
【補正対象書類名】明細書
【補正対象項目名】００１３
【補正方法】変更
【補正の内容】
【００１３】
請求項１０の発明は、ドーム状部の外側にドーム状部に沿って湾曲面または球面状のアレンジメント面を設定し、該アレンジメント面に臨ませて花材または葉材の先端部を配置し、花材等をアレンジメント面に整然と配置し、湾曲面状の柔らかで均一かつバランス良いアレンジメントを形成するようにしている。
請求項１１の発明は、一対の掛止片の間の花器の開口部の端面に略舌片状の張出突片を突設し、該突片を介し保持ブロックの背部を遮蔽可能にし、張出突片によって保持ブロックの背部を遮蔽し、見栄えを良くするとともに、掛止片の間に張出突片をコンパクトに形成し、花材等の鑑賞の影響を防止するようにしている。
請求項１２の発明は、張出突片の高さを、前記ドーム状部の上面と略同高に形成し、張出突片の高さを抑制し、これをコンパクトに形成して花材等の鑑賞の影響を防止するようにしている。
【手続補正５】
【補正対象書類名】明細書
【補正対象項目名】００１４
【補正方法】変更
【補正の内容】
【００１４】
請求項１の発明は、角部と角部に連続する稜線部とを花器の内面に圧入して保持ブロックを保持可能にしたから、尖端部と併せて保持ブロックを花器に強固に保持することができる。
請求項２の発明は、花器の開口部の下方に角柱状部の上端面を位置付け、花器の開口部の上方にドーム状部の中高部と上面を位置付けたから、花器の開口部より上方にドーム状部の大半部を表出させ、アレンジメント後の花材等を見栄え良く表出し、良好な鑑賞に供することができる。
請求項３の発明は、花器の開口部中央の対向位置に、環状の弾性部材を前後に掛け渡し可能な一対の掛止片を外側へ突設したから、一対の掛止片を花器に設けるとともに、掛止片に弾性部材を掛け渡して保持ブロックを花器に保持させ、例えば搬送時における花器からの脱出防止と揺動を防止することができる。
【手続補正６】
【補正対象書類名】明細書
【補正対象項目名】００１５
【補正方法】変更
【補正の内容】
【００１５】
請求項４の発明は、弾性部材の一部をドーム状部の基部周面に係合可能に配置したから、花器からの脱出防止と保持ブロックの上下動と前後移動を防止することができる。
請求項５の発明は、弾性部材の一部をドーム状部の上部周面に掛け渡したから、ドーム状部を押圧して花器からの脱出防止と保持ブロックの揺動を強固に防止することができる
請求項６の発明は、角柱状部の上部に平坦な張出面を形成し、該張出面を花器の開口部の端縁下方に配置し、該張出面に前記弾性部材の一部を係合可能に配置したから、花器からの脱出防止と保持ブロックの揺動を確実かつ強固に防止することができる。
【手続補正７】
【補正対象書類名】明細書
【補正対象項目名】００１６
【補正方法】変更
【補正の内容】
【００１６】
請求項７の発明は、ドーム状部を、角柱状部の前部から後方へ所定距離オフセットして形成し、その角柱状部の上部に張出面を形成したから、広い張出面を形成して弾性部材の係合を容易かつ確実に行なうことができる。
請求項８の発明は、一対の掛止片を平面が細長の舌片状に形成し、かつこれらを下向きに屈曲形成し、弾性部材を前後に離間して掛け止め可能にし、これを下向きに屈曲形成したから、弾性部材を前後に離間して抜け止め、その掛け止めを維持することができる。
請求項９の発明は、花器の底部中央に円錐台形状の一のコーンを突設し、該コーンの平坦な上端部に保持ブロックの底部を載置可能にしたから、コーンの構成を簡潔にするとともに、保持ブロックを安定して保持することができる。
【手続補正８】
【補正対象書類名】明細書
【補正対象項目名】００１７
【補正方法】変更
【補正の内容】
【００１７】
請求項１０の発明は、ドーム状部の外側にドーム状部に沿って湾曲面または球面状のアレンジメント面を設定し、該アレンジメント面に臨ませて花材または葉材の先端部を配置したから、花材等をアレンジメント面に整然と配置し、湾曲面状の柔らかで均一かつバランス良いアレンジメントを形成することができる。
【手続補正９】
【補正対象書類名】明細書
【補正対象項目名】００１８
【補正方法】変更
【補正の内容】
【００１８】
請求項１１の発明は、一対の掛止片の間の花器の開口部の端面に略舌片状の張出突片を突設し、該突片を介し保持ブロックの背部を遮蔽可能にしたから、張出突片によって保持ブロックの背部を遮蔽し、見栄えを良くするとともに、掛止片の間に張出突片をコンパクトに形成し、花材等の鑑賞の影響を防止することができる。
請求項１２の発明は、張出突片の高さを、前記ドーム状部の上面と略同高に形成したから、張出突片の高さを抑制し、これをコンパクトに形成して花材等の鑑賞の影響を防止することができる。
【手続補正１０】
【補正対象書類名】明細書
【補正対象項目名】００２１
【補正方法】変更
【補正の内容】
【００２１】
【図１１】本発明に使用したカットスケールを示す平面図で、３種類のカットスケールを作業テーブル上に設けている。
【図１２】本発明の応用形態を四方見用のフラワーアレンジメントに適用した状況を示す斜視図である。
【図１３】前記四方見用のフラワーアレンジメントの保持ブロックに、花材を挿し込む前の状況を示す斜視図である。
【図１４】前記四方見用のフラワーアレンジメントに適用した保持ブロックの平面図である。
【手続補正１１】
【補正対象書類名】明細書
【補正対象項目名】００５３
【補正方法】変更
【補正の内容】
【００５３】
図１２乃至図１６は本発明の応用形態を示し、前述の実施形態と対応する構成部分に同一の符号を用いている。
この応用形態は、本発明を三方見用のフラワーアレンジメントの代わりに、前方および左右両側方、後方の四方からの鑑賞（以下、四方見と呼ぶ）に好適なフラワーアレンジメントシステムに適用している。
この応用形態に使用する花器３は、三方見用の花器３よりも若干浅底に構成し、その下部のコーン１１および係止片１２の構成を採用し、開口側の周縁は前述の掛止片８と張出突片１０を省略して構成と制作を簡潔にし、この花器３に三方見用の保持ブロック４の代わりに、四方見用の保持ブロック２７を使用している。
【手続補正１２】
【補正対象書類名】明細書
【補正対象項目名】００５７
【補正方法】変更
【補正の内容】
【００５７】
この応用形態のフラワーアレンジメントに際しては、花材３２，３３および葉材を前記ドーム状部２７ｂに挿し込み、その実際は前述の実施形態と同様に行ない、複数のメイン花材３２をドーム状部２７の周面に等間隔に配置し、その上下位置に花材３３を円周方向に沿って配置する。
【手続補正１３】
【補正対象書類名】特許請求の範囲
【補正対象項目名】全文
【補正方法】変更
【補正の内容】
【特許請求の範囲】
【請求項１】
吸水性を有する保持ブロックを花器の内側に収容し、前記保持ブロックの上半部に一部または全部を凸状の湾曲面または球面のドーム状部を設け、保持ブロックの下半部に複数の角部を備えた角柱状の角柱状部を設けるとともに、前記花器の底部に保持ブロックの底部を保持可能な尖端部を突設し、前記ドーム状部に所定長さの複数の花材または葉材を所定位置に配置して保持可能にしたフラワーアレンジメントシステムにおいて、前記角部と角部に連続する稜線部とを花器の内面に圧入して保持ブロックを保持可能にしたことを特徴とするフラワーアレンジメントシステム。
【請求項２】
前記花器の開口部の下方に角柱状部の上端面を位置付け、花器の開口部の上方にドーム状部の中高部と上端面を位置付けた請求項１記載のフラワーアレンジメントシステム。
【請求項３】
前記花器の開口部中央の対向位置に、環状の弾性部材を前後に掛け渡し可能な一対の掛止片を外側へ突設した請求項１記載のフラワーアレンジメントシステム。
【請求項４】
前記弾性部材の一部をドーム状部の基部周面に係合可能に配置した請求項３記載のフラワーアレンジメントシステム。
【請求項５】
前記弾性部材の一部をドーム状部の上部周面に掛け渡した請求項３記載のフラワーアレンジメントシステム。
【請求項６】
前記角柱状部の上部に平坦な張出面を形成し、該張出面を花器の開口部の端縁下方に配置し、該張出面に前記弾性部材の一部を係合可能に配置した請求項４記載のフラワーアレンジメントシステム。
【請求項７】
前記ドーム状部を、角柱状部の前部から後方へ所定距離オフセットして形成し、角柱状部の上部に前記張出面を形成した請求項６記載のフラワーアレンジメントシステム。
【請求項８】
前記一対の掛止片を平面が細長の舌片状に形成し、かつこれらを下向きに屈曲形成した請求項３記載のフラワーアレンジメントシステム。
【請求項９】
前記花器の底部中央に円錐台形状の一のコーンを突設し、該コーンの平坦な上端部に保持ブロックの底部を載置可能にした請求項１記載のフラワーアレンジメントシステム。
【請求項１０】
前記ドーム状部の外側にドーム状部に沿って湾曲面または球面状のアレンジメント面を設定し、該アレンジメント面に臨ませて花材または葉材の先端部を配置した請求項１記載のフラワーアレンジメントシステム。
【請求項１１】
前記一対の掛止片の間の花器の開口部の端面に略舌片状の張出突片を突設し、該突片を介し保持ブロックの背部を遮蔽可能にした請求項３記載のフラワーアレンジメントシステム。
【請求項１２】
前記張出突片の高さを、前記ドーム状部の上面と略同高に形成した請求項１０記載のフラワーアレンジメントシステム。